(57)【要約】【課題】  二次電源の電源オフ機能が動作しなかった場合、装置として外部からのアクセスを受け付けない無限ループに陥ることを防ぐことを目的とする。【解決手段】  パワースイッチ１０４が押下された後、所定時間経過後二次電源１０５によって動作が終了する携帯通信端末の小型無線基地局において、装置全体を制御する制御部１０２は、タイマー値を監視し、所定時間を経過後、動作中である場合に、二次電源１０５に障害が発生したと判断して自発的に強制終了処理を行う。また、二次電源１０５の電源は、図示しないＡＣ／ＤＣコンバータを介して供給される。【選択図】  図１
2006262301.tif 000002
【特許請求の範囲】
【請求項１】
パワースイッチが押下された後、所定時間経過後二次電源によって動作が終了する携帯通信端末の小型無線基地局において、
装置全体を制御する制御部は、タイマー値を監視し、前記所定時間を経過後、動作中である場合に、前記二次電源に障害が発生したと判断して自発的に強制終了処理を行うことを特徴とする携帯通信端末の小型無線基地局。
【請求項２】
前記二次電源の電源は、ＡＣ／ＤＣコンバータを介して供給されることを特徴とする請求項１記載の小型無線基地局。
【請求項３】
前記携帯通信端末は、携帯電話機であることを特徴とする請求項１又は２記載の小型無線基地局。
【請求項４】
前記携帯通信端末は、ＰＨＳであることを特徴とする請求項１又は２記載の小型無線基地局。
【請求項５】
前記携帯通信端末は、ＰＤＡであることを特徴とする請求項１又は２記載の小型無線基地局。
【請求項６】
パワースイッチが押下された後、所定時間経過後二次電源によって動作を終了させる小型無線基地局の駆動プログラムにおいて、
タイマー値を監視し、
前記所定時間を経過後、動作中である場合に、前記二次電源に障害が発生したと判断して自発的に強制終了処理を行わせることを特徴とする小型無線基地局の駆動プログラム。
【発明の詳細な説明】
【技術分野】
【０００１】
本発明は、携帯通信端末の小型無線基地局及びその駆動プログラムに関し、特に、二次電源を使用した携帯通信端末の小型無線基地局及びその駆動プログラムに関する。
【背景技術】
【０００２】
装置の終了処理を１００％Ｈ／Ｗ処理で実施するＨ／Ｗ構成の場合、当該Ｈ／Ｗに障害が発生すると装置の終了処理が正常動作せずに永久に異常状態のままとなり、外部からのアクセスに対しても無応答状態となってしまう恐れがある。
【０００３】
携帯電話無線基地局装置のように連続的に高信頼性を維持して動作することが要求される装置においては致命的な障害となるため、早急に解決が求められている。
【特許文献１】特開２０００−２８４８６１号公報
【発明の開示】
【発明が解決しようとする課題】
【０００４】
しかしながら、実装基板（カード）が一枚構成となるような小型無線基地局装置はＯＡ機器に近い設備として扱われるため、従来の携帯電話無線基地局装置のように突然電源オフすると内部デバイスの破損の危険性が高かった。
【０００５】
そこで、装置前面に設けたパワースイッチが押下されても、その時点で電源オフせずに、パワースイッチ押下をトリガとして全ての機能部処理を停止させた後に安全に電源オフするシャットダウン機能をサポートする。
【０００６】
また、電源が一次電源と二次電源で構成される場合、パワースイッチの押下をトリガとして二次電源がハードウェア的に電源供給を継続できる限界時間に達するとハードウェア的に強制断とした後に、一次電源をハードウェア的に断状態とする。
【０００７】
一方、ソフトウェアは二次電源の限界時間中に各機能部の終了処理を実施した後に、二次電源によってハードウェア的に強制断とされるのを待つ。
【０００８】
ところが、二次電源のハードウェア動作に障害が発生して、正常動作であるハードウェア的強制断が実施されなかった場合に、既に終了処理を行って待ち処理に入ったソフトウェアは外部からのアクセスを受け付けない無限ループ状態となっているために装置として再起動もできない状態に陥ることがあった。
※：一次電源：電源アダプタから供給される電源
※：二次電源：ＡＣ／ＤＣコンバータを通して各デバイスに供給する電源
そこで、本発明は、二次電源の電源オフ機能が動作しなかった場合、装置として外部からのアクセスを受け付けない無限ループに陥ることを防ぐことを目的とする。
【課題を解決するための手段】
【０００９】
本発明は、上記課題を解決するための手段として、パワースイッチが押下された後、所定時間経過後二次電源によって動作が終了する携帯通信端末の小型無線基地局において、装置全体を制御する制御部は、タイマー値を監視し、前記所定時間を経過後、動作中である場合に、前記二次電源に障害が発生したと判断して自発的に強制終了処理を行うことを特徴とする。
【００１０】
また、本発明は、パワースイッチが押下された後、所定時間経過後二次電源によって動作を終了させる小型無線基地局の駆動プログラムにおいて、タイマー値を監視し、前記所定時間を経過後、動作中である場合に、前記二次電源に障害が発生したと判断して自発的に強制終了処理を行わせる。
【発明の効果】
【００１１】
本発明によれば、ハードウェア障害によって装置のシャットダウン処理が正常動作しない場合でも、装置として外部からのアクセスを受け付けずに無限ループ状態に陥ることなく、最終的に装置として終了処理を完遂することが可能となる。
【発明を実施するための最良の形態】
【００１２】
以下、添付図面を参照して本発明を実施するための最良の実施の形態を説明する。
【００１３】
［構成の説明］
図１は、本発明の一実施の形態の構成を示すブロック図である。
【００１４】
図１に示すように、本実施の形態は、メモリ部１０１と、制御部１０２と、一次電源１０３と、二次電源１０４と、パワースイッチ１０５とを備えている。
【００１５】
図２は、本発明の動作を時間経過として示す図である。
【００１６】
パワースイッチ１０５が押下されると、制御部１０２へ割り込みが入り、メモリ部１０１からシャットダウン監視ソフトウェアが展開、起動される。
【００１７】
さらに、制御部１０２は二次電源１０３へパワースイッチ１０５が押下されたことを通知し、二次電源１０４は自分の終了処理に入る。
【００１８】
それと同時に制御部は二次電源１０３の限界時間をカウントするためのタイマーを起動し、更に無線基地局装置内のソフトウェア機能部及びハードウェア機能部のシャットダウン処理を実行する。
【００１９】
通常動作であれば限界時間Ｔを経過した後に、二次電源１０４は一次電源１０３へ終了処理開始の要求を通知し、自分の終了処理を実行後にハードウェア的に自らの動作を強制断する。
【００２０】
一次電源１０３は二次電源１０４からの通知により、自らの終了処理を実行して強制断する。
【００２１】
一方、二次電源１０４の終了処理に異常が発生して自らの強制断が実行されない状況にある場合の動作について記述する。
【００２２】
制御部で動作中のシャットダウン監視ソフトウェアは常に起動中のタイマー値を監視し、予め決められた二次電源１０４の限界時間Ｔを経過しても自分がまだ動作中である場合に、二次電源１０４に障害が発生したと判断して自発的に強制終了処理に入る。
【００２３】
［動作の説明］
パワースイッチが押下されると、制御部１０２へ割り込みが入り、メモリ部１０１からシャットダウン監視ソフトウェアが展開、起動される。
【００２４】
さらに、制御部１０２は二次電源１０４へパワースイッチが押下されたことを通知し、二次電源１０４は自分の終了処理に入る。
【００２５】
それと同時に制御部は二次電源１０４の限界時間をカウントするためのタイマーを起動し、更に無線基地局装置内のソフトウェア機能部及びハードウェア機能部のシャットダウン処理を実行する。
【００２６】
通常動作であれば限界時間Ｔを経過した後に二次電源１０４は一次電源１０３へ終了処理開始の要求を通知し、自分の終了処理を実行後にハードウェア的に自らの動作を強制断する。
【００２７】
一次電源１０３は二次電源１０４からの通知により、自らの終了処理を実行して強制断する。
【００２８】
一方、二次電源１０４の終了処理に異常が発生して自らの強制断が実行されない状況にある場合の動作について記述する。
【００２９】
制御部１０２で動作中のシャットダウン監視ソフトウェアは常に起動中のタイマー値を監視し、予め決められた二次電源１０４の限界時間Ｔを経過しても自分がまだ動作中である場合に、二次電源１０４に障害が発生したと判断して自発的に強制終了処理に入る。
【００３０】
本実施の形態では、携帯電話機の無線基地局について説明したが、ＰＨＳやＰＤＡなどの携帯通信端末の無線基地局にも応用可能である。
【産業上の利用可能性】
【００３１】
本発明は、携帯電話機やＰＨＳなどの携帯通信端末の無線基地局装置に利用できる。
【図面の簡単な説明】
【００３２】
【図１】本発明の一実施の形態の構成を示すブロック図である。
【図２】本発明の動作を時間経過として示す図である。
【符号の説明】
【００３３】
１０１  メモリ部
１０２  制御部
１０３  一次電源
１０４  二次電源
１０５  パワースイッチ
【図１】
2006262301.tif 000003
【図２】
2006262301.tif 000004